(57)【要約】【課題】筒状編地の軸方向に対して傾斜する方向に延びるインターシャ柄を備える筒状編地と、その筒状編地を編成する際に、利用する給糸口の数を低減できる筒状編地の編成方法とを提供する。【解決手段】横編機を用いて筒状編地を編成する際に、筒状編地の軸方向に対して傾斜する方向に延びるインターシャ柄を形成するための編成方法である。前後の一方に位置する第一給糸口（給糸口７）からインターシャ柄となる第一編地部（インターシャ部２）へ第一編糸を給糸し、前後の他方に位置する第二給糸口（給糸口６）から第二編地部（グランド部1）へ第二編糸を給糸して、第一編糸と第二編糸とが交差しないように、筒状編地１０を回転させながら編成する。【選択図】図２
2008274485.tif 000002
【特許請求の範囲】
【請求項１】
左右方向に延び、前後方向に対向する少なくとも一対の針床を有し、前後の針床の少なくとも一方が左右にラッキング可能で、かつ前後の針床間で編目の目移しが可能な横編機を用いて筒状編地を編成する際に、筒状編地の軸方向に対して傾斜する方向に延びて、前後の針床に係止される両編地部に掛け渡されるようにインターシャ柄を形成するための筒状編地の編成方法であって、
前後の一方に位置する第一給糸口からインターシャ柄となる第一編地部へ第一編糸を給糸し、前後の他方に位置する第二給糸口から第一編地部の編幅方向に隣接する第二編地部へ第二編糸を給糸して、第一編糸と第二編糸とが交差しないように、筒状編地を回転させながら編成することを特徴とする筒状編地の編成方法。
【請求項２】
第二編地部が、第一編地部の周囲に連続するグランド部であることを特徴とする請求項１に記載の筒状編地の編成方法。
【請求項３】
第二編地部が、第一編地部とは別のインターシャ柄となるインターシャ部であることを特徴とする請求項１に記載の筒状編地の編成方法。
【請求項４】
筒状編地を構成する各コースの編目に対して、第一編地部の次コースが現コースから編幅方向にずれて移動する針数分だけ、筒状編地を前記移動方向と逆方向に回転するように、筒状編地の編成と回転とを組み合わせて行うことを特徴とする請求項１〜３のいずれかに記載の筒状編地の編成方法。
【請求項５】
左右方向に延び、前後方向に対向する少なくとも一対の針床を有し、前後の針床の少なくとも一方が左右にラッキング可能で、かつ前後の針床間で編目の目移しが可能な横編機を用いて編成された筒状編地であって、
インターシャ柄となる第一編地部と、
この第一編地部の編幅方向の少なくとも一側に隣接する第二編地部とを備え、
前記第一編地部は、筒状編地の軸方向に対して傾斜する方向に延びて形成され、
前記第二編地部は切替箇所のない一連の編糸で編成されていることを特徴とする筒状編地。
【請求項６】
第二編地部が第一編地部とは別のインターシャ柄となるインターシャ部を有することを特徴とする請求項５に記載の筒状編地。
【発明の詳細な説明】
【技術分野】
【０００１】
本発明は、横編機でインターシャ柄を有する筒状編地を編成するための編成方法と筒状編地に関する。
【背景技術】
【０００２】
前後に対向する一対の針床を備える横編機を用いて、インターシャ柄を有する編地を編成する方法として、特許文献１に記載の方法がある。この方法は、インターシャ部とグランド部とで構成され、前側編地部と後側編地部がその両端で繋がった筒状編地を編成する際に、両編地部の何れか一方の編幅内にインターシャ部を形成するための編成方法である。具体的には、インターシャ部に対向するグランド部の各コース（以下、編成時の編幅方向をコース方向といい、コース方向に並ぶ一行の編目群を単にコースということがある）をグランド部用の給糸口により編成する際に、インターシャ部編成用の給糸口がグランド部の各コースの編成の障害にならないように各給糸口を移動させながら編地の編成を行っている。
【０００３】
【特許文献１】特開平１０−１８５２号公報
【発明の開示】
【発明が解決しようとする課題】
【０００４】
この特許文献１の編成方法では、前側編地部と後側編地部の何れか一方の編幅内にインターシャ部を形成する筒状編地を編成する際に、インターシャ部用の給糸口から繰り出された編糸と、グランド部用の給糸口から繰り出された編糸とが交差しないようにすることには有効である。しかし、特に筒状編地における周方向の半周超の領域に亘るインターシャ柄を形成する際には、インターシャ部用の給糸口とグランド部用の給糸口との移動だけでは、上記編糸同士の交差を回避することができない。
【０００５】
例えば、図６の編成ブロック１に示すように、螺旋状のインターシャ部２を有する筒状編地を編成する場合、インターシャ部用の給糸口７は、グランド部用の給糸口６よりも前側のガイドレールに設置されている。
【０００６】
ここで、編成ブロック１から５に移行するに伴い、インターシャ部２の次コースは現コースよりも針床上で左右方向にずれて移動するため、順次、各コースが編成されていく毎にインターシャ部２は針床上を反時計回りに移動していく。その際、編成ブロック１〜４に示すように、インターシャ部２の少なくとも一部が下部前針床ＦＤにあると、給糸口６，７を互いに干渉しない位置に移動させることにより筒状編地を編成することができる。
【０００７】
しかし、編成ブロック５では、インターシャ部２が全て下部後針床ＢＤに移行されるにも関わらず、前側の給糸口７より給糸される編糸でインターシャ部２を編成し、後側にある給糸口６から給糸される編糸でグランド部１のうち下部前針床ＦＤに係止される領域を編成する必要がある。そのため、給糸口６から給糸される編糸が給糸口７から給糸される編糸と交差してしまい、編地の編成を続けることができなくなる。
【０００８】
そこで、従来は、インターシャ部２とグランド部１の接合編目が前針床から後針床に回り込むより前（編成ブロック４）で、インターシャ部用の給糸口７よりも前側に位置する別の給糸口（図示せず）に切り替えてグランド部１の編成を行っている。つまり、給糸口６より給糸されていた編糸と同色の編糸を別の給糸口から給糸して編成を続けることで、螺旋状のインターシャ部２を有する筒状編地であっても編成することができる。
【０００９】
しかし、この編成方法では、グランド部を編成するために同色の編糸を給糸する２つの給糸口を使用しなければならない。しかも、これら２つの給糸口から給糸される編糸を切り替える糸処理を行わなければならず、手間がかかる上に、編み上がった筒状編地には、その切替処理に伴う切替箇所が現れるために編地の仕上がり具合が損なわれる虞がある。
【００１０】
また、異なる色糸を使用した複数の螺旋状のインターシャ部を並行させてストライプ柄の編地を編成する際は、給糸口の切り替え制御が非常に煩雑で、編地に使用する色数を大幅に上回る数の給糸口を使用しなければならない。しかも、ストライプ柄の色数が増えると、多数の給糸口を使用したとしても、編糸の交差を避けることができず、編地を編成できない場合がある。さらに、編成できる場合であっても、同色のインターシャ部またはグランド部に形成される切替箇所が不規則に現れて、編地の仕上がり具合が損なわれる。
【００１１】
本発明は、上記の事情に鑑みてなされたもので、その目的の一つは、筒状編地の軸方向に対して傾斜する方向に延びるインターシャ柄を備えた筒状編地を編成する際に、利用する給糸口の数を低減できる筒状編地の編成方法を提供することにある。
【００１２】
また、本発明の他の目的は、筒状編地の軸方向に対して傾斜する方向に延びる多色のインターシャ柄を有する編地を編成できる筒状編地の編成方法を提供することにある。
【００１３】
さらに、本発明の別の目的は、筒状編地の軸方向に対して傾斜する方向に延びるインターシャ柄を備える筒状編地であって、インターシャ柄以外の編地部分や同色のインターシャ柄の途中に編糸の切替箇所が現われない筒状編地を提供することにある。
【課題を解決するための手段】
【００１４】
本発明筒状編地の編成方法は、左右方向に延び、前後方向に対向する少なくとも一対の針床を有し、前後の針床の少なくとも一方が左右にラッキング可能で、かつ前後の針床間で編目の目移しが可能な横編機を用いて筒状編地を編成する際に、筒状編地の軸方向に対して傾斜する方向に延びて、前後の針床に係止される両編地部に掛け渡されるようにインターシャ柄を形成するための編成方法である。この方法において、前後の一方に位置する第一給糸口からインターシャ柄となる第一編地部へ第一編糸を給糸し、前後の他方に位置する第二給糸口から第一編地部の編幅方向に隣接する第二編地部へ第二編糸を給糸して、第一編糸と第二編糸とが交差しないように、筒状編地を回転させながら編成することを特徴とする。
【００１５】
一方、本発明筒状編地は、左右方向に延び、前後方向に対向する少なくとも一対の針床を有し、前後の針床の少なくとも一方が左右にラッキング可能で、かつ前後の針床間で編目の目移しが可能な横編機を用いて編成された筒状編地である。この編地は、インターシャ柄となる第一編地部と、この第一編地部の編幅方向の少なくとも一側に隣接する第二編地部とを備える。そして、前記第一編地部は、筒状編地の軸方向に対して傾斜する方向に延びて形成され、前記第二編地部は切替箇所のない一連の編糸で編成されていることを特徴とする。
【発明の効果】
【００１６】
本発明の筒状編地の編成方法によれば、筒状編地の軸方向に対して傾斜する方向に延びるインターシャ柄を有する筒状編地を回転させながら編成することで、第一編糸と第二編糸との交差を回避することができるため、同色の編糸を異なる給糸口から切り替えて給糸する必要がない。それに伴い、従来よりも給糸口の利用数を少なくして編成することができ、かつ同色の編糸同士による切替箇所を形成する必要もない。さらに、色の異なる複数のインターシャ部が編幅方向に隣接され、各インターシャ部が筒状編地の軸方向に対して傾斜する方向に延びたストライプ柄の筒状編地であっても、同色の編糸を給糸する複数の給糸口を切り替えて編成する必要がない。
【００１７】
また、本発明の筒状編地によれば、筒状編地の軸方向に対して傾斜する方向に延びるインターシャ柄を有する筒状編地において、インターシャ柄となる第一編地部に隣接する第二編地部を一連の編糸で構成することができる。そのため、第二編地部に編糸の切替箇所が生じず、仕上がり具合のよい筒状編地とすることができる。
【発明を実施するための最良の形態】
【００１８】
以下、本発明の構成をより詳しく説明する。
【００１９】
＜第一編地部と第二編地部＞
本発明の筒状編地は、インターシャ柄となる第一編地部と、この第一編地部の編幅方向に隣接する第二編地部とを備える。
【００２０】
第一編地部は、筒状編地の軸方向に対して傾斜する方向に延びる。本発明編成方法は、この第一編地部が、筒状編地の周方向の半周超に亘って形成されている場合に特に有効である。但し、第一編地部の形成範囲が筒状編地の周方向の半周以下の場合であっても、前後の針床に係止される両編地部に掛け渡されるように第一編地部が形成される場合、本発明編成方法は有効に利用できる。
【００２１】
一方、第二編地部は、第一編地部の周囲に連続するグランド部である場合と、第一編地部とは別のインターシャ柄となるインターシャ部である場合の２つのケースが考えられる。
【００２２】
本発明の編成方法によれば、前者の筒状編地を編成する場合、グランド部を編成する編糸とインターシャ部を編成する編糸との交差を回避し、後者の筒状編地を編成する場合、一方のインターシャ部を編成する編糸と他方のインターシャ部を編成する編糸との交差を回避することができる。
【００２３】
＜筒状編地の編成＞
第一編地部と第二編地部を備える筒状編地の編成は、例えば、前後の一方の針床側の給糸口で一方の針床側に第一編地部を編成し、他方の針床側の給糸口で他方の針床側に第二編地部を編成している場面では、筒状編地を回転させなくても編成できる。
【００２４】
しかし、傾斜方向に延びる第一編地部は、編成の進行に伴って、第一編地部の次コースが現コースよりも編幅方向にずれて移動することになる（以下、このコースがずれる方向を単に移動方向と言う）。そのため、同一コース上における第一編地部と第二編地部との接合編目のうち、前記移動方向の先行側の接合編目が一方の針床に係止される編地部の編幅一端に位置する状態から、一方の針床を移動方向に移動して、前記移動方向の後行側の接合編目が一方の針床に係止される編地部の編幅他端に位置する状態となる周方向の領域を超えて第一編地部が編成される場合、筒状編地を回転させなければ、一方の針床側の給糸口で他方の針床側に第一編地部を編成し、他方の針床側の給糸口で一方の針床側に第二編地部を編成する場面が発生し、その際に各給糸口から給糸される編糸同士の交差が生じることがある。
【００２５】
そこで、編糸同士の交差が生じる前に、第一編地部の前記移動方向と反対方向に筒状編地を回転させながら編成すれば、編糸同士の交差を回避して、筒状編地の編成を継続することができる。
【００２６】
より特定的には、一方の針床側の給糸口で他方の針床側に第一編地部を編成し、他方の針床側の給糸口で一方の針床側に第二編地部を編成する場合に、他方の針床上における第二編地部の編幅内に、一方の針床上の第一編地部が収まると、編糸同士の交差が発生するため、このような状態となる前に筒状編地の回転を行えばよい。
【００２７】
以上の筒状編地の回転は、編目の目移しと針床のラッキングによって容易に実現できる。その際、前針床または後針床に係止される編幅方向の全ての編目を同時に目移ししたりラッキングして筒状編地を回転させても良いし、編幅方向の一部の編目ごとに分割して目移ししたりラッキングして筒状編地を回転させても良い。
【００２８】
また、この筒状編地の回転は、筒状編地を数コース編成してから行っても良いし、１コース編成するごとに行ってもよい。特に、編地の回転を行わなくても第一編糸と第二編糸の交差が生じない編成過程では、極力編地の回転を行わずに編成を進めることが好ましい。これにより、編地の回転を行う過程を減らし、編地の回転に伴う編糸への負荷を軽減して、糸切れを抑制することができる。
【００２９】
例えば、同一コース上における第一編地部と第二編地部との接合編目であって、移動方向の先行側の接合編目を前後の一方の針床に配させると共に、両給糸口のうち、先行側の接合編目が配される針床側に位置する給糸口が第一給糸口となるように第一編地部の編成を開始する。そして、後行側の接合編目が一方の針床の編幅端部に配され、先行側の接合編目が他方の針床上に配された状態となるまで筒状編地を回転させることなく編成すればよい。
【００３０】
特に、前記移動方向の先行側の接合編目が前後の一方の針床の編幅端部に配され、後行側の接合編目が前後の他方の針床に配されるように第一編地部の編成を開始すれば、筒状編地の回転を行わなくてもよい編成過程を最大限に採ることができる。
【００３１】
その他、筒状編地を構成する各コースの編目に対して、第一編地部の次コースが現コースから編幅方向にずれて移動する針数分だけ、筒状編地を前記移動方向と逆方向に回転するように、筒状編地の編成と回転とを組み合わせて行うことが好ましい。
【００３２】
この構成によれば、インターシャ柄となる第一編地部を一方の針床上の一定の位置に保持して筒状編地の編成を続けることができる。また、編地の回転に伴う各コースごとの編目を構成する編糸への負荷も軽減して、糸切れを抑制することができる。
【実施例１】
【００３３】
４枚ベッドの横編機を使用して、螺旋状のインターシャ柄を有する筒状編地を編成する。４枚ベッドの横編機は、互いに対向される下部前針床（ＦＤ）と下部後針床（ＢＤ）の上に、下部の針床と同ピッチで多数の編針が列設された上部前針床と上部後針床を備えている。上部の針床は、主に下部の針床に係止される編目の目移しに用い、下部の針床を総針状態で使用しても、表目と裏目が混在した種々の組織柄を編成したり、編目の回し込みや、編目の重ねを行なうことができる。
【００３４】
図１は、本例で編成される筒状編地の平面図である。筒状編地１０は、編地１０の大部分を占めるグランド部１と、筒状編地の軸と同軸の螺旋形をしたインターシャ部２とで構成される。
【００３５】
この筒状編地１０のうち、半分は、主として横編機のＢＤを使用して編成される。筒状編地１０の残り半分は、主として横編機のＦＤを使用して編成される。
【００３６】
図２は、図１に示す筒状編地１０の編成工程を示す模式図である。この図に示す左端の数字は、筒状編地１０の編成順序を示す。また、同図に示す「Ｘ」は、同一ウエール上に連続する編目を示す。
【００３７】
まず、図２の編成ブロック１では、グランド部１の編目がＦＤとＢＤの針に係止されている。また、インターシャ部２が、グランド部１のうち、ＦＤの針に係止されるグランド部１に挟み込まれるようにしてＦＤの針に係止されている。つまり、ＦＤの針に係止される編地部の中間の位置にインターシャ部２が位置している。
【００３８】
グランド部１は、給糸口６から給糸される編糸で編成される。一方、インターシャ部２は、給糸口７から給糸される編糸で編成される。グランド部１とインターシャ部２との繋ぎ編成は、公知のタック繋ぎ等により行なうことができる。タック繋ぎで編成された編地には、グランド部１の編目とインターシャ部２の編目とが重なる接合編目Ａ，Ｂが形成される。
【００３９】
ここで、グランド部１を編成するための給糸口６は、インターシャ部２を編成するための給糸口７よりも横編機の後側に配置されているものを使用している。つまり、給糸口６は、インターシャ部２が編成されるＦＤとは反対側（ＢＤ側）にある給糸口である。
【００４０】
上述のような給糸口６，７の配置であれば、グランド部１を編成するときにも、インターシャ部２を編成するときにも、両給糸口６，７から給糸される編糸が交差しないように編成することができる。具体的には、給糸口７でインターシャ部２を編成するときは、給糸口７で編成しようとしている編幅の位置から給糸口６を逃がしておく。例えば、給糸口６を、給糸口７でインターシャ部２を編成する方向と逆の方向に逃がしておくか、あるいは、インターシャ部２を編成する方向と同じ方向であってもインターシャ部２の位置から外側に逃がしておく。同様に、給糸口６でグランド部を編成するときにも、給糸口６で編成しようとしている編幅の位置から給糸口７を逃がしておけば良い。
【００４１】
上述の編成ブロック１の状態から次コース以降の編成を行う。この次コース以降の編成では、コースの編成が進むに従って、インターシャ部２の一方の端部（本例では紙面左側）で編目を減らしつつ、他方の端部（紙面右側）で編目を増やしていく。また、グランド部１は、インターシャ部２で増減した編目に対応して編目を増減する。この編目の減らしと増やしにより、編成ブロック２に示すように、コースの編成が進むに従って、筒状編地の編目の数が変わることなく、筒状編地１０におけるインターシャ部２の位置が紙面右側（反時計回り）に移動していく。その結果、図１に示すような螺旋状のインターシャ部２を有する筒状編地１０が形成される。
【００４２】
コースの編成進行に伴って増減させる編目の数は、任意に選択することができる。例えば、１コースごとに複数の編目を増減させると、インターシャ柄の螺旋の傾斜が緩やかになる。他方、編目を増減させるコースを数コースおきにすれば、インターシャ柄の螺旋の傾斜を急にすることができる。さらに、同一コースにおいて編目を減らす数と増やす数とに差を設けることにより、インターシャ柄が螺旋を描きつつ、筒状編地の上端側に向かうほどインターシャ柄の編幅が広くなるように、あるいは、狭くなるようにできる。
【００４３】
編成ブロック２の状態からさらに反時計回りにインターシャ部２が移動していくと、いずれは接合編目ＡがＦＤ側からＢＤ側に移動する。接合編目ＡがＢＤ側に移動した状態で編成を行うと給糸口６，７から給糸される編糸が交差してしまう。そこで、本例では、編成ブロック３に示すように、コースの編成が進むにつれて筒状編地１０を時計回りに回転させる（図の同一ウエールに連続して形成される編目Ｘを参照）。つまり、この筒状編地１０の回転により、コースの編成が進むに従ってＦＤの右方向に移動するインターシャ部２を、ＦＤの同一の位置で編成されるようにしている。なお、インターシャ部２がＦＤ上にある限り、給糸口６，７から給糸される編糸の交差は、給糸口６，７の位置関係を操作することで回避できる。
【００４４】
筒状編地１０の回転には、種々公知となっている編目の回し込み方法を使用すれば良い。編目の回し込みとは、前後の針床で筒状もしくはＣ字状に編成される編地において、一方の針床上にある編目のうち、左右の一方の側端にある編目を、対向する針床上にある編目のうち、左右の一方の側端にある編目の外側に移動させ、結果として編地を針床上で回転させることである。編目の回し込みの具体的な方法としては、例えば、ＦＤとＢＤの針に同数の編目が互いに対向するように係止されている場合、ＢＤを右方向にラッキングし、前後の針床ＦＤ，ＢＤの針に係止される編目が左右にずれた配置となるようにする。このとき、ＢＤの右端の編目に対向するＦＤの針に編目がなく、ＦＤの左端の編目に対向するＢＤの針に編目がない状態になる。そして、このずれた編目（側端の編目）を対向する針床の空針に目移しすることで、編地が時計回りに回転された状態になる。
【００４５】
ところで、編目の回し込みにより、一方の針床の側端にあった編目を対向する針床に移動させると、編目が捻られた状態で対向する針床の針に係止される。そして、この捻られた編目の上に次コースの編目が形成されると、捻られた編目が固定されるため、編地のデザイン性が損なわれる虞がある。そこで、編地の回し込みによって移動させる編目を予め捻った状態で係止しておいて、この編目を対向する針床に移動させたときに、捻れが解消されるようにすることが好ましい。
【００４６】
また、各針床に係止される編目の数が多い場合、全ての編目の目移しと針床のラッキングとを一度に行なうと、編糸に過大な張力が作用して糸切れする虞がある。従って、編目の目移しと針床のラッキングとを複数回に分けて行なうことが好ましい。
【００４７】
以上説明した本実施例の編成方法によれば、螺旋状に延びるインターシャ柄を有する筒状編地を編成する際に、グランド部とインターシャ部とに対応した２つの給糸口で編成することができる。そのため、本発明の編成方法は、３つの給糸口を使用して編成していた従来の編成方法よりも、当該筒状編地を容易に編成することができる上、グランド部に糸処理された切替箇所がなくなるので、仕上がり具合の優れた編地を提供できる。
【００４８】
また、実施例１の方法を応用すれば、筒状編地に、その軸方向に延びるジグザグ状のインターシャ部を編成することもできる。例えば、実施例１の方法において筒状編地を時計回りに回転させながら編成を行った後、インターシャ部の移動方向を反時計回りから時計回りに変え、筒状編地を反時計回りに回転させながら編成を続ける。そして、以下同様にインターシャ部の移動方向と筒状編地の回転方向を交互に変えながら筒状編地を編成すればよい。
【実施例２】
【００４９】
次に、螺旋状のインターシャ柄を有する筒状編地を編成する際、編成初期に筒状編地の回転を行わず、その後に筒状編地を回転させながら編成する編成方法を説明する。本例で編成する筒状編地は、図１の筒状編地と同じである。
【００５０】
図３は、本例の筒状編地の編成工程を示す模式図である。同図における給糸口６，７の配置状態は、実施例１と同様にグランド部１を編成する給糸口６が横編機の後側で、インターシャ部２を編成する給糸口７が前側である。
【００５１】
同図の編成ブロック１は、インターシャ部２の編成開始時における編目の係止状態を示す。具体的には、グランド部１とインターシャ部２との接合編目であって、インターシャ部２の移動方向先行側の接合編目Ｂが、ＦＤの左側端の位置にある。接合編目Ｂがこの位置にあれば、給糸口６，７から給糸される編糸の交差は、給糸口６，７の位置関係を操作することにより回避できる。
【００５２】
この編成ブロック１の状態からインターシャ部２を筒状編地１０に対して螺旋状に編成していくと、編成ブロック２以下に示すように、コースの編成が進むに従って、ＦＤにおいて係止されるインターシャ部２の編目が右方向（反時計回り）に移動していく。
【００５３】
そして、編成ブロック６の状態、即ち、グランド部１とインターシャ部２との接合編目Ａが、ＦＤに係止される編目の右側端の位置となるまで、給糸口６，７の位置関係を操作することで、筒状編地１０を回転させることなく編成することができる。つまり、編成ブロック１〜６の間は、編目を回し込むための目移しやラッキングを行なう必要がないため、筒状編地１０を編成するためのトータルの編成工程を少なくすることができる。
【００５４】
ここで、編成ブロック６の状態からさらに次のコースを編成する場合、接合編目ＡがＢＤ側に回り込むことになる。この状態では、給糸口６でグランド部１を編成するときに、給糸口６の編糸が給糸口７の編糸に交差してしまうので、このコースの編成を行なうことができない。
【００５５】
従って、編成ブロック６の状態になったら、編目の回し込みにより筒状編地１０を時計回りに回転させて、インターシャ柄２が編成の進行に伴って移動しても接合編目ＡがＢＤに回り込まないようにする。
【００５６】
ここで、編目の回し込みにより筒状編地１０を回転させる量は、編成ブロック１〜６までの範囲であれば任意に選択することができる。その際、同一の編目に対して多数回の回し込みが行われると、編目に負荷がかかって、糸切れの虞があるため、編成ブロック６の状態から一気に編成ブロック１の状態まで回し込むよりも、編成ブロック６の状態から次のコースを編成したときに接合編目ＡがＢＤに回り込まないような最小限の回し込み量とすることが好ましい。
【００５７】
なお、図３のステップ５の状態、つまり、インターシャ部２が前後の針床ＦＤ、ＢＤに掛け渡された状態を維持するように筒状編地の回転を行いながら編成をしてもよい。この方法によれば、インターシャ部２が一方の針床に保持されるように筒状編地を回転させながら編成するよりも効率的な編成を行うことができる。もちろん、この方法は、他の実施例でも応用できる。
【実施例３】
【００５８】
さらに、異なる色の複数の螺旋状のインターシャ部で多色のストライプ柄を構成した筒状編地を編成する方法を説明する。
【００５９】
図４は、複数のインターシャ部３，４，５からなるストライプ柄を有する筒状編地２０の平面図である。図に示すように、筒状編地２０の同一コースにおいて、３つのインターシャ部３，４，５が隣接しており、これらインターシャ部３，４，５のウエール方向の位置が筒状編地２０の上方に移動するに従って、インターシャ部３，４，５のコース方向の位置が紙面右側（反時計回り）に移動している。つまり、筒状編地２０に設けられるストライプ柄が筒状編地２０に対して螺旋状に延びている。
【００６０】
この筒状編地２０を編成するためには、まず、図５に示すように給糸口６〜９の位置を規定する。給糸口７，８，９，６は、横編機の前側、即ち、ＦＤ側から後方に向かって順に並んでいる。給糸口７，８，９および６は、それぞれインターシャ部３，４，５およびグランド部１に給糸する給糸口である。本例においても、各給糸口のいずれかで編成するときに、編成する編幅の位置から他の給糸口を逃がしておくことで編地を編成することができる。
【００６１】
そして、同図の編成状態から横編機を使用してインターシャ部３〜５を筒状編地２０に対して螺旋状に形成するときは、筒状編地２０を適宜回転させて、各給糸口から給糸される編糸が交差しないように編成する。例えば、インターシャ部３，４，５がＦＤに係止され続けるように、１コース編成するごとに筒状編地２０の回転を行なえば良い。その他、編成工程数を極力少なくしたいのであれば、実施例２で述べたように、各給糸口から給糸される編糸が交差する直前まで筒状編地２０を回転しないようにすれば良い。
【００６２】
本例の編成方法によれば、螺旋状のストライプ柄を有する筒状編地であっても横編機で編成することができる。また、編成に使用する給糸口は、グランド部１とインターシャ部３〜５に一対一対応した４つの給糸口だけで良いので、編成効率が良い。
【００６３】
以上の各実施例では、４枚ベッドの横編機を用いたが、２枚ベッドの横編機を利用したり、前後の各針床の上方に編目の目移しを行なうためのトランスファージャックを列設した２枚ベッドの横編機を用いても本発明編成方法を実施することができる。
【産業上の利用可能性】
【００６４】
本発明の編地の編成方法は、筒状編地に対して螺旋状に延びるインターシャ柄などを有する筒状編地の編成に好適に利用できる。また、本発明の編地は、螺旋状に延びるインターシャ柄などを有する筒状編地として、靴下、サポーター、ゴルフクラブのカバーなどに利用できる。
【図面の簡単な説明】
【００６５】
【図１】実施例１に記載のインターシャ柄を有する筒状編地の平面図である。
【図２】実施例１に記載のインターシャ柄を有する筒状編地の編成工程を示す模式図である。
【図３】実施例２に記載のインターシャ柄を有する筒状編地の編成工程を示す模式図である。
【図４】実施例３に記載のストライプ柄（多色のインターシャ柄）を有する筒状編地の平面図である。
【図５】ストライプ柄を有する筒状編地を編成する際の給糸口の配置状態を示した模式図である。
【図６】従来、行なわれていたインターシャ柄を有する編地の編成工程を示す模式図である。
【符号の説明】
【００６６】
１０，２０  筒状編地
１  グランド部
２，３，４，５  インターシャ部
６，７，８，９  給糸口
Ａ，Ｂ  接合編目
【図１】
2008274485.tif 000003
【図２】
2008274485.tif 000004
【図３】
2008274485.tif 000005
【図４】
2008274485.tif 000006
【図５】
2008274485.tif 000007
【図６】
2008274485.tif 000008